(57)【要約】【課題】苗の情報を表示した表示具を確実に、かつ容易に取り付けることができる園芸ポットを提供する。【解決手段】底部と、その底部の周縁部から立設して上方へ開口する胴部と、底部の周縁部から下方に連なり、その底部を自身の下端部よりも上位に位置させる底上げ部とを備える。また、胴部の開口から差し入れられる、植物に関する情報を表示した表示具を先端側から受け入れ、その先端を前記底上げ部の内側に位置させて保持する保持孔が底部に形成されている。表示具が保持孔に入らなかった場合は、底部に当たるので、その手ごたえで、作業者は表示具が入らなかったことが分かる。また、開口部から出ている表示具の長さを見ることによっても、表示具が入らなかったことが容易に分かる。【選択図】図１
2006246707.tif 000002
【特許請求の範囲】
【請求項１】
植物を培土とともに入れるための園芸ポットにおいて、
底部と、
その底部の周縁部から立設して上方へ開口する胴部と、
前記底部の周縁部から下方に連なり、その底部を自身の下端部よりも上位に位置させる底上げ部と、
前記胴部の開口から差し入れられる、前記植物に関する情報を表示した表示具を先端側から受け入れ、その先端を前記底上げ部の内側に位置させて保持する、前記底部に形成された保持孔と、
を備えることを特徴とする園芸ポット。
【請求項２】
植物を培土とともに入れるための園芸ポットにおいて、
底部と、
その底部の周縁部から立設して上方へ開口する胴部と、
前記底部の下面に設けられた脚部と、
前記胴部の開口から差し入れられる、前記植物に関する情報を表示した表示具を先端側から受け入れ、その先端を前記底部の下方に位置させて保持する、前記底部に形成された保持孔と、
を備えることを特徴とする園芸ポット。
【請求項３】
前記底部には下方へ凹むように凹部が形成され、前記園芸ポットに前記培土を入れた際にその凹部に前記培土の一部が入ることにより、全体の重心を低くして安定させる請求項１または２記載の園芸ポット。
【請求項４】
前記凹部の底面から側面にわたって、水抜用の切欠孔が形成されている請求項３記載の園芸ポット。
【請求項５】
前記保持孔は前記底部の前記周縁部に、該底部の中心を取り囲むように複数個、形成されている請求項１ないし４のいずれか１項に記載の園芸ポット。
【請求項６】
前記保持孔は前記底部の中心を取り囲むように複数個、形成され、該底部の前記中心から遠い距離に位置する外側保持孔と、その外側保持孔よりも内側に位置する内側保持孔とが交互に位置するとともに、互いに隣接する前記外側保持孔と前記内側保持孔の端部が、前記底部の中心から外側に向かう方向においてそれぞれ重なり合う請求項１ないし４記載のいずれか１項に記載の園芸ポット。
【請求項７】
複数の前記保持孔が、前記底部の中心から外側に向かう方向に並べて形成されている請求項１ないし５のいずれか１項に記載の園芸ポット。
【請求項８】
前記底部は、前記周縁部から中心方向に向かって低くなるように傾斜している請求項１ないし７のいずれか１項に記載の園芸ポット。
【請求項９】
前記胴部と前記底部のなす角度は鋭角にされている請求項１ないし７記載のいずれか１項に記載の園芸ポット。
【請求項１０】
植物を培土とともに入れる園芸ポットにおいて、
底部と、
その底部の周縁部から立設して上方に開口する胴部と、
前記園芸ポットの上方から差し入れられる、前記植物に関する情報を表示する表示具を先端から受け入れて保持する保持孔と、
を有し、前記園芸ポットの表面を構成する複数の面のうち一つの面内、又は複数の面内において、複数個の前記保持孔が前記胴部の横断面中心から外側に向かう方向に並べて形成されることを特徴とする園芸ポット。
【請求項１１】
前記胴部の上縁部に鍔部が設けられ、その鍔部に前記複数の保持孔が前記胴部の横断面中心から外側に向かう方向に並べて形成されている請求項１０記載の園芸ポット。
【請求項１２】
前記胴部の上縁部から所定の間隔を空けた位置に、その胴部から内側へ凹む内側凹部が形成され、その内側凹部の上端に前記複数の保持孔が前記胴部の横断面中心から外側に向かう方向に並べて形成されている請求項１０記載の園芸ポット。
【請求項１３】
前記胴部は、底部に連なる下側胴部と、その下側胴部よりも大きな横断面形状を有して上方へ開口する上側胴部と、それら上側胴部と下側胴部とをつなぐ段形状をなす肩部とを含み、その肩部に前記複数の保持孔が前記肩部の横断面中心から外側に向かう方向に並べて形成されている請求項１０記載の園芸ポット。
【請求項１４】
請求項１ないし請求項１３の園芸ポットを縦横に並べて切離可能に連結したことを特徴とする連結園芸ポット。
【発明の詳細な説明】
【技術分野】
【０００１】
本発明は、園芸ポットおよび連結園芸ポットに関するものである。
【背景技術】
【０００２】
従来から、植物の苗を入れて育苗に用いるために、ポリエチレンやポリプロピレン等の軟質合成樹脂で構成された園芸ポットが使用されている。育苗された植物は園芸ポットごと搬送され、店頭にて展示販売される。販売の際には、植物の名称や育て方、写真などを表示した表示具を取り付けるのが一般的である。
【０００３】
表示具は、表示部と脚部からなる立て札状のものが主に使用される。従来から、表示具を取り付ける際には、園芸ポットの内面と培土の隙間に脚部を差し込む方法が用いられてきた。しかしこの方法では表示具が簡単に抜けるので、搬送中にトラックなどの振動で抜け落ちたり、展示販売中にいたずらで引き抜かれたりする問題があった。そこで、表示具を抜けにくくするために、園芸ポットの内面と培土の隙間に脚部を差し込んだ後、ホッチキスで固定していた。しかしながらホッチキスを使用すると、大量の園芸ポットに表示具を取り付ける必要があるので、作業が大変である。
【０００４】
このような問題点を解決するために、下記特許文献１には、上端開口部の鍔部に保持孔（切込み）を設けた園芸ポットが開示されている。この園芸ポットによると、鍔部に設けた保持孔に表示具が差し込まれ、係合される。これにより、表示具が抜けにくくなる。また、ホッチキスを用いる必要が無いので取り付け作業が楽である。しかしながらこの園芸ポットは、保持孔だけで表示具を保持しているのでぐらつきやすく、前のめりに倒れたりすることがある。その結果、倒れた表示具によって苗が傷むという問題があった。
【特許文献１】実公平７−４６１２８号公報
【０００５】
また、下記特許文献２には、側壁に、開口から所定間隔を空けた部分に凹部を形成し、その凹部の開口を望む部分（上端）に保持孔を設けた園芸ポットが開示されている。この園芸ポットによると、表示具は保持孔で保持されるとともに、側壁の内面と培土で挟まれるので、前のめりに倒れたりする不具合が生じにくい。しかしながらこの園芸ポットは、表示具を取り付ける際に保持孔が培土で埋もれているので、その保持孔の位置が分かりにくいという問題がある。また、凹部は側壁の一部分にのみ形成されているので、取り付け作業の際に、凹部が無い箇所に誤って表示具を差し込むことがある。その場合、表示具の先端が凹部の上端に突き当たらないため、作業者は、保持孔が無い箇所に表示具を差し込んでいることになかなか気付かないという不具合があった。そのため、表示具の取り付け作業を確実に、かつ容易に行える園芸ポットが望まれていた。
【特許文献２】特許第３５５６２１３号公報
【０００６】
一方、保持孔は通常、細いスリット状に構成されるのであるが、これに表示具を取り付けるのは容易な作業ではない。従来の園芸ポットは、１つの表示具を取り付けるべき箇所に、保持孔が１つだけ単独で形成されており、作業者は細いスリット状に構成された単独の保持孔に、表示具をなんとか取り付ける必要があった。特に、一日に一人で数千個ものポットに表示具を取り付ける必要がある場合には、その作業は大変なものであった。
【発明の開示】
【発明が解決しようとする課題】
【０００７】
本発明は、上述のような事情を背景になされたもので、特に、苗の情報を表示した表示具を確実に、かつ容易に取り付けることができる園芸ポットを提供することを課題とする。  
【課題を解決するための手段および発明の効果】
【０００８】
上記課題を解決するために本第１発明は、
植物を培土とともに入れるための園芸ポットにおいて、
底部と、
その底部の周縁部から立設して上方へ開口する胴部と、
前記底部の周縁部から下方に連なり、その底部を自身の下端部よりも上位に位置させる底上げ部と、
前記胴部の開口から差し入れられる、前記植物に関する情報を表示した表示具を先端側から受け入れ、その先端を前記底上げ部の内側に位置させて保持する、前記底部に形成された保持孔と、
を備えることを特徴とする。
【０００９】
上記本発明の園芸ポットによると、底部が底上げされており、この底上げされた底部に保持孔が形成される。より詳しくは、底部の周縁部から上方に胴部が立設し、底部の周縁部からは底上げ部が下方に連設されており、この底上げ部によって底部は上方に持ち上げられた恰好となっている。植物の生産者は、底部と胴部によって囲まれた空間に、植物を培土とともに入れて育てる。そして上記植物が育って出荷する時には、この植物に関する情報を表示した表示具を取り付ける作業を行なう。この際、胴部と培土の隙間に表示具を差し込んで、その先端を保持孔に差し込むのであるが、培土によって保持孔の位置が見えなくなっている。しかしながら上記本発明によると、保持孔の形成されていない箇所に表示具を差し込んだとしても、表示具の先端が底部に突き当たるので、作業者はその手ごたえで、保持孔の無い箇所に表示具を差し込んだことを容易に気付くことができる。
【００１０】
また、本第２発明は、
植物を培土とともに入れるための園芸ポットにおいて、
底部と、
その底部の周縁部から立設して上方へ開口する胴部と、
前記底部の下面に設けられた脚部と、
前記胴部の開口から差し入れられる、前記植物に関する情報を表示した表示具を先端側から受け入れ、その先端を前記底部の下方に位置させて保持する、前記底部に形成された保持孔と、
を備えることを特徴とする。
【００１１】
上記第２発明によると、底部の下面に脚部が設けられており、この脚部によって底部が底上げされている。そして、この底部に保持孔が形成されている。
【００１２】
本第３発明は、上記第１および第２発明におけるもので、前記底部には下方へ凹むように凹部が形成され、前記園芸ポットに前記培土を入れた際にその凹部に前記培土の一部が入ることにより、全体の重心を低くして安定させている。このような構造にすることにより、底部を底上げしても、重心が不安定になって園芸ポットが倒れることが少なくなる。また、ポット内の体積が凹部の分だけ増えるので、植物の根の生育スペースが増える。その結果、根づまりを防止できる。
【００１３】
また、本第４発明は、上記第３発明において、前記凹部の底面から側面にわたって、水抜用の切欠孔が形成されている。この切欠孔により、凹部の水はけが良くなり、根腐されや苗の徒長を防止できる。
【００１４】
さらに本第５発明の園芸ポットによると、上記第１〜第４発明において、前記保持孔は前記底部の前記周縁部に、該底部の中心を取り囲むように複数個、形成されている。このようにすると、植物を展示販売する際に、消費者に対して最も見栄えの良くなる方向に植物や、その花を向けるとともに、複数個、形成されている保持孔のうち最適な位置にある保持孔に表示具を取り付けることができる。
【００１５】
また、本第６発明の園芸ポットによると、上記第１〜第４発明において、前記保持孔は前記底部の中心を取り囲むように複数個、形成され、該底部の前記中心から遠い距離に位置する外側保持孔と、その外側保持孔よりも内側に位置する内側保持孔とが交互に位置するとともに、互いに隣接する前記外側保持孔と前記内側保持孔の端部が、前記底部の中心から外側に向かう方向においてそれぞれ重なり合うようにされている。このようにすると、胴部の内側と培土の隙間に表示具を差し入れた場合、表示具の先端が外側保持孔に差し込まれるか、又はそれよりも内側に位置する内側保持孔のどちらかに差し込まれることになる。つまり、外側保持孔と内側保持孔とで底部の中心が隙間無く取り囲まれているので、任意の位置に表示具を差し込めば必ずどこかに入るようにされている。これにより表示具の取り付け作業の効率が大幅にアップする。
【００１６】
また、本第７発明の園芸ポットによると、上記第１〜第５発明において、複数の前記保持孔が、前記底部の中心から外側に向かう方向に並べて形成されている。これにより、胴部の内側と培土の隙間に表示具を差し入れた際に、外側の保持孔に表示具の先端が差し込まれなかったとしても、その内側に形成された別の保持孔に差し込むことができるようになる。
【００１７】
また、本第８発明によると、上記第１〜第７発明において、前記底部は、前記周縁部から中心方向に向かって低くなるように傾斜している。このような構造にすると、保持孔が形成されている底部の周縁部を高く位置させるとともに、保持孔が形成されていない中心部を低くさせて、全体の重心を低くして安定させることができる。また、本第７発明のように複数の保持孔が形成されている場合、一番外側の保持孔に表示具が入らなくても、表示具の先端が傾斜した底部で滑るので、内側の保持孔に挿入しやすくなる。
【００１８】
さらに、本第９発明は、上記第１〜第７発明におけるもので、すなわち、
前記胴部と底部のなす角度は鋭角にされているものである。このようにすると、表示具の先端が引っかかりやすくなり、取り付け作業の効率を上げることができる。
【００１９】
また、本第１０発明は、
植物を培土とともに入れる園芸ポットにおいて、
底部と、
その底部の周縁部から立設して上方に開口する胴部と、
前記園芸ポットの上方から差し入れられる、前記植物に関する情報を表示する表示具を先端から受け入れて保持する保持孔と、
を有し、前記園芸ポットの表面を構成する複数の面のうち一つの面内、又は複数の面内において、複数個の前記保持孔が前記胴部の横断面中心から外側に向かう方向に並べて形成されることを特徴とする。
【００２０】
上記本第１０発明によると、園芸ポットは底部と、その底部の周縁部から立設して上方に開口する胴部とを有する。これら底部および胴部は軟質合成樹脂などで構成され、真空成形やブロー成形などを利用して一体的に形成されている。そして、表示具を先端から受け入れて保持する保持孔が複数個、形成されている。より詳しくは、園芸ポットは複数の面を有し、このうち一つの面内、又は複数の面内において、複数の保持孔が、胴部の横断面中心から外側に向かう方向に並べられ、その保持孔に表示具が取り付けられる。つまり、所定の面積を有する面内に、複数の保持孔がまとまって配置されているので、表示具の取り付け作業をする者は、大まかな位置に表示具を差し込むだけで、複数の保持孔のうちどれかの保持孔に入れることが可能となる。これにより、表示具の取り付け効率が大幅に改善される。
【００２１】
本第１１発明は、上記本第１０発明をさらに具体的に記述したもので、すなわち、
前記胴部の上縁部に鍔部が設けられ、その鍔部に前記複数の保持孔が前記胴部の横断面中心から外側に向かう方向に並べて形成されていることを特徴とする。
【００２２】
また、本第１２発明は、本第１０発明をさらに具体的にしたもので、すなわち、
前記胴部の上縁部から所定の間隔を空けた位置に、その胴部から内側へ凹む内側凹部が形成され、その内側凹部の上端に前記複数の保持孔が前記胴部の横断面中心から外側に向かう方向に並べて形成されていることを特徴とする。
【００２３】
さらに本第１３発明は、本第１０発明をさらに具体的に記述したもので、すなわち、
前記胴部は、底部に連なる下側胴部と、その下側胴部よりも大きな横断面形状を有して上方へ開口する上側胴部と、それら上側胴部と下側胴部とをつなぐ段形状をなす肩部とを含み、その肩部に前記複数の保持孔が前記肩部の横断面中心から外側に向かう方向に並べて形成されていることを特徴とする。
【００２４】
また、本第１４発明は、上記本第１発明から本第１３発明の園芸ポットを縦横に並べて切離可能に連結した連結園芸ポットに関するものである。
【発明を実施するための最良の形態】
【００２５】
以下、本発明を実施するための最良の形態を、図面を参照しながら説明する。
まず、図１に本発明の園芸ポット１の一部透視斜視図を示す。園芸ポット１はポリプロピレンやポリエチレン等の軟質合成樹脂からなり、底部２と、その底部２の周縁部から立設して上方に開口する胴部３と、底部２の周縁部から下方に連なる底上げ部４を備える。この底上げ部４によって、底部２は上方に持ち上げられた恰好になっている。そしてこの底部２に、表示具を先端側から受け入れ、その先端を底上げ部４の内側に位置させて保持する、複数個の保持孔５が形成されている。
【００２６】
底部２と胴部３に囲まれた空間には苗Ｐが培土Ｓとともに入れられ、育てられる。苗Ｐが育った後に、胴部３と培土Ｓの間に表示具６を差し込んで、表示具６を保持孔５に取り付ける。表示具６には苗Ｐの名称や育て方、写真などが表示されており、消費者はその表示具６を見ることで、苗Ｐについての情報を得ることができる。一方、表示具６の先端には切り欠きＣが形成されており、保持孔５に係止している。表示具６を上方へ引き抜いた時には、切り欠きＣが保持孔５の両端に引っかかって抜け止めになる。このため、苗Ｐをトラックなどで輸送した時に振動で表示具が取れることが少なくなる。また、展示販売中にいたずらで引き抜かれることも少なくなる。
【００２７】
なお、表示具６の取り付け作業において、保持孔５が形成されていない箇所に表示具６が差し込まれた場合には、その表示具６の先端は底部２に突き当たる。そのため、作業者は手ごたえと、表示具５が上縁から出ている長さで、保持孔５が形成されていない箇所に差し込まれたことを容易に気付くことができる。
【００２８】
また、図１に示すように、保持孔５は、底部２の周縁部に沿って、その底部２の中心を取り囲むように複数個、形成されている。これにより、例えば花が咲いた状態の苗を園芸ポット１ごと販売する場合には、消費者に対して花を向け、その花の手前か又は真後ろになる位置に、表示具６を取り付けることができる。つまり、複数の保持孔５が形成されているので、その中から最適な位置を選んで表示具６を取り付けることが可能となる。これによって、販売時には苗Ｐの見栄えが最もよくなる向きを消費者に見せ、同時に最適な位置に表示具６を取り付けることが可能となり、その結果、消費者の購買意欲を高めることができる。
【００２９】
次に、図２Ａに園芸ポット１の断面図を示し、図２Ｂにその要部拡大断面図を示す。このように、底部２の保持孔に差し入れられた表示具６は、胴部３の内面と培土Ｓによって挟まれるので、少々の振動では倒れない。そのため、表示具６が倒れて苗Ｐが傷つくようなこともない。
【００３０】
なお、図３に示す実施形態のように、底部２の下面に設けた脚部８によって底部２を上方に位置させるようにしてもよい。脚部８は必ずしも底部２の周縁部に設ける必要はなく、保持孔５と重ならない位置であれば底部の下面のどこに設けてもよい。
【００３１】
次に、底部２から下方に凹むように凹部Ｄを設けた実施形態を図４Ａ，Ｂに示す。このように凹部Ｄを設けることにより、培土Ｓの一部が凹部Ｄに入り、全体の重心を低くして安定させることができる。また、ポット内の体積が凹部の分だけ増えるので、植物の根の生育スペースが増える。その結果、根づまりを防止できる。凹部Ｄを設けないと、底部２の底上げ位置を高くした場合に、重心が不安定になる場合がある。また、根づまりがおきる場合がある。
【００３２】
一方、図４Ｂに示すように凹部Ｄの中心には水抜孔７を設けてあるが、これだけでは水はけが十分でない場合がある。そのため、苗Ｐが根腐れを起こしてしまうことがある。この問題を解決するためには図５Ａ，Ｂに示すように、凹部Ｄの底面から側面にわたって水抜き用の切欠孔９を形成するとよい。図５Ａ，Ｂのように複数の切欠孔９を放射状に設けることで、凹部Ｄの底面からも側面からも水が抜けるようになり、苗Ｐの生育にとって、より理想的な園芸ポット内の土壌環境を作ることができる。
【００３３】
次に、保持孔５の配列方法が異なる別の実施形態について説明する。図６では、底部２の中心から遠い距離に位置する外側保持孔５ａと、その外側保持孔５ａよりも内側に位置する内側保持孔５ｂとが交互に位置するとともに、互いに隣接する外側保持孔５ａと内側保持孔５ｂの端部Ｅが、底部２の中心から外側に向かう方向においてそれぞれ重なり合うようにされている。つまり、底部２の中心から外側に向かう方向において、互いに隣接する外側保持孔５ａと内側保持孔５ｂとの間に隙間が無いようにされている。このような構造にすると、胴部３の内面と培土Ｓ（図示しない）の隙間から表示具６を差し込んだ際に、差し込んだ部位の、胴部３のすぐ近くに形成されている外側保持孔５ａまたは内側保持孔５ｂのいずれかの保持孔に表示具６を入れることができる。ここで仮に互いに隣接する外側保持孔５ａ及び内側保持孔５ｂの端部Ｅが重なっていないとすると、その端部Ｅ間の隙間に表示具６が突き当たった場合に、その表示具６がスムーズに入らない場合がある。しかしながら本実施形態では端部Ｅが重なって隙間ができない構成となっているので、そのような不具合が生じない。
【００３４】
なお、図７Ａに示すように、内側保持孔５ｂのさらに内側に別の保持孔を配置して、底部２の中心を取り囲むように同心円状に配置することができる。このようにすると、底部２に保持孔５が略隙間無く形成されているので、底上げになっている底部２のどこに表示具６を差し込んだとしても確実に取り付けることができる。また、複数個、形成された保持孔は水抜孔の機能も兼ねるので、培土の水はけが良くなり、苗Ｐの根腐れを効果的に防止できる。
【００３５】
なお、図１５に示すように、凹部Ｄを設けず、底部の周縁部から水抜孔７まで保持孔５ａ，５ｂを配置してもよい。
【００３６】
さらに、図７Ｂに示すように、内側保持孔５ｂの端部だけを内側に位置させて、中心部５ｂ’を外側へ位置させることにより、内側保持孔５ｂの中心部５ｂ’と外側保持孔５ａとを略同一の同心円位置に配置するようにしてもよい。このようにすると、表示具６を胴部３の内面に沿って差し込んだ場合に、内側保持孔５ｂと外側保持孔５ａの同心円位置が揃っているので、どちらにもスムーズに表示具６を差し込むことができる。つまり、例えば図６または図７Ａの実施形態のように内側保持孔５ｂの中心部５ｂ’を外側へ位置させていない場合は、胴部３の内面に沿って表示具６を差し込んだ場合、表示具６が一旦、底部２に突き当たる。その後、内側に動いて内側保持孔５ｂに入ることになる。それに対して図７Ｂでは内側保持孔５ｂの中心部５ｂ’と外側保持孔５ａとが略同一の同心円位置に配置されているので、胴部３の内面に沿って表示具６を差し込みさえすれば、底部２に突き当たることがなく、いずれかの保持孔にスムーズに装着することができる。
【００３７】
次に、本発明の別の実施形態を図８に示す。図８Ａでは底部２が四角形状とされており、その四角形状の底部２の周縁部に保持孔５が形成されている。また、図８Ｂでは複数の保持孔５が、底部の中心から外側に向かう方向に並べて形成されている。図８Ｂのようにすると、１箇所に複数の保持孔５が並べて形成されているので、取り付け作業をする者は、複数個、形成されている保持孔５のうちいずれかに入れればよいので、これにより、表示具の取り付け作業が楽になる。
【００３８】
一方、底部２の凹部Ｄは、図９Ａのように形成することができる。図９Ａでは底部２から立設して上方に開口する胴部３と、底部２から下方に連なって底部２を自身の下端部より上方に位置させる底上げ部４を備え、胴部３は横断面形状が四角形とされ、底部には下方へ凹む凹部Ｄが形成され、その凹部Ｄは底部２を２つに分断して、四角形状の胴部３の対抗する２辺部に沿う部分にのみ残すように形成されている。このようにすると、凹部Ｄの体積を大きくとることができ、凹部Ｄの内部に培土Ｓを多く入れることができるので、重心を安定させやすい。また、ポット内の体積が凹部の分だけ増えるので、植物の根の生育スペースが増える。その結果、根づまりを防止できる。これによると、図示しないが、重心を安定させたまま底部２を更に高い位置に持ち上げた構成にすることが可能となり、その結果、短い表示具６でも保持孔に差し込むことができるようになる。
【００３９】
一方、図９Ｂに示すように、底部２を、周縁部から中心方向に低くなるように傾斜させることもできる。また、図９Ｂの園芸ポットの断面図を図１８に示す。このようにすると、保持孔５が形成されている底部２の周縁部を高く位置させるとともに、保持孔５が形成されていない中心部を低くさせて、全体の重心を低くして安定させることができる。
【００４０】
逆に、図１９に示すように、胴部３と底部２のなす角度θが鋭角になるようにしてもよい。このようにすると、表示具６の先端が引っかかりやすくなり、その結果、保持孔５が複数個、並べて配置されていなくても、表示具の取り付け作業を効率よく行なうことができる。
【００４１】
なお、図９Ｂでは底部２が四角形であったが、どのような形状でもよい。例えば図７Ａ，Ｂのように底部２が円形の園芸ポットにおいて、周縁部から中心方向に低くなるように底部２を傾斜させてもよい。
【００４２】
次に、図１０を用いて本発明の別の実施形態について説明する。図１０Ａでは胴部３の上縁に鍔部１０が形成され、その鍔部１０に複数の保持孔５が、胴部３の横断面中心から外側に向かう方向に複数、並べて形成されている。このようにすることにより、表示具６の取り付け作業をする者は、大まかな位置に表示具６を差し込むだけで、一箇所にまとめて形成されている複数個の保持孔６のうち、いずれかの保持孔６に差し込むことができる。つまり従来の園芸ポットでは、それぞれの箇所に１つずつしか保持孔５が形成されていなかったので、作業者はその１つの保持孔５に表示具６を差し込む必要があったのだが、図１０Ａの園芸ポットによると、複数個の保持孔５が形成されているので、表示具６を差し込みやすくなる。
【００４３】
さらに、図１０Ｂに示すように、胴部３の上縁部から所定の間隔を空けた位置に、その胴部３から内側へ凹む内側凹部１１が形成され、その内側凹部１１の上端１１ａに複数の保持孔５が、胴部３の横断面中心から外側に向かう方向に並べられた構成にしてもよい。この構成によると、保持孔５が一箇所に複数個、まとめて形成されているので、表示具を取り付けやすく、また、差し込まれた表示具は培土Ｓと胴部３によって挟まれる恰好となるので、ぐらついたり倒れたりすることがなくなる。
【００４４】
また、図１１に示すように、底部２の周縁部から連なる下側胴部３ａと、その下側胴部３ａよりも大きな横断面形状を有して上方に開口する上側胴部３ｂと、それら下側胴部３ａおよび上側胴部３ｂをつなぐ段形状をなす肩部１２とを備え、その肩部１２に複数の保持孔５が肩部１２の横断面中心から外側へ向かう方向に並べられた構成にしてもよい。このようにすると、保持孔５が一箇所にまとめて形成されているので、表示具６を取り付けやすく、また、保持孔５が形成されていない箇所に表示具６を入れた場合に、表示具６の先端が肩部１２に当たるので、作業者はその手ごたえで、保持孔５が形成されていない箇所に表示具６を入れたことを容易に気付くことができる。
【００４５】
なお、図１７に示すように、上側胴部３ｂの横断面形状を四角形にし、下側胴部３ａの横断面形状を円形にしてもよい。さらに、図示しないが、上側胴部３ｂおよび下側胴部３ａの横断面形状をともに四角形にしてもよい。
【００４６】
また、図１の実施形態では、表示具２を取り付ける際には、保持孔５は培土Ｓに埋もれており、位置が分かりにくい。その問題を解決するため、図１２Ａ，Ｂに示すように、上側胴部５の上縁部ＵＥに目印１３を設けるとよい。このようにすると、保持孔５が培土Ｓに埋もれていても、目印１３のある位置に表示具６を差し込めば、表示具６の先端を簡単に保持孔５へ入れることができる。
【００４７】
さらに、図１３Ａに示すように、胴部３の内面から突出する一対のガイド部１４を設けてもよい。この一対のガイド部１４は、それぞれが保持孔５の両端を示す位置に設けられているので、表示具６の取り付け作業においては、培土Ｓに埋もれている保持孔５の目印になる。また、ガイド部１４は上縁部ＵＥから底部２にわたって設けられている。表示具６を取り付ける際には、図１３Ｂ，Ｃに示すように、一対のガイド部１４の間に表示具６を入れ、ガイド部１４に沿ってスライドさせながら保持孔５へ差し込む。このようにすると、表示具６の先端が横方向にずれることがないので、確実に保持孔５へ差し込むことが可能となる。
【００４８】
なお、図１６に示すように、胴部３の外面から突出する目印１３ａを設けてもよい。
【００４９】
次に、図８Ｂの園芸ポット１を縦横に繋げて複数一体化した連結園芸ポット１５の平面図を図１４に示す。このように、互いに隣接する園芸ポット１は胴部３の上縁部において、切離可能に連結されている。店頭で苗Ｐを販売する時には、一つ一つの園芸ポット１が切離された状態で、トレイに入れられて展示販売されるのが一般的である。そのため、生産者はトレイに園芸ポット１を入れる必要があるが、上述のように複数の園芸ポット１が連結した連結園芸ポット１５を用いると、一つ一つ入れる必要が無く、一度にトレイに入れることができる。つまり、各園芸ポット１を一度に全て切離すことが可能な切離具を用意しておく。そして、その切離具をトレイの上方に配置し、連結園芸ポット１５を切離具にセットして連結部分を一度に切離すとともに、そのまま切離された各園芸ポット１をトレイに入れるのである。これにより、複数の園芸ポット１を一度にトレイに入れることが可能となり、作業効率が大幅にアップする。
【００５０】
なお、図３〜図９および図１４〜１６の実施形態において、底上げ部４の代わりに脚部８を用いても同様の効果を奏する。
【図面の簡単な説明】
【００５１】
【図１】本発明に係る園芸ポットの一部透視斜視図である。
【図２】（Ａ）園芸ポットの断面図（Ｂ）その要部拡大図。
【図３】脚部を有する園芸ポットの一部透視斜視図。
【図４】（Ａ）凹部Ｄを備えた園芸ポットの一部透視斜視図（Ｂ）その断面図。
【図５】（Ａ）凹部Ｄに水抜き用の切欠部を設けた実施形態（Ｂ）その要部拡大図。
【図６】外側保持孔５ａと内側保持孔５ｂを交互に配置した園芸ポットを上方から見た図。
【図７】Ａ図、Ｂ図ともに図６とは別の実施形態である。
【図８】（Ａ）底部が四角形状である園芸ポット（Ｂ）保持孔５を底部の中心から外側に向かう方向に複数個、並べた実施形態。
【図９】（Ａ）凹部の別の実施形態（Ｂ）底部を中心に向かうほど低くなるように傾斜させた実施形態。
【図１０】（Ａ）鍔部に複数個の保持孔を並べて設けた形態（Ｂ）内側凹部１１の上端部１１ａに複数個の保持孔を並べて設けた形態。
【図１１】肩部１２に複数個の保持孔を並べて設けた形態。
【図１２】胴部３の上縁部ＵＥに目印１３を設けた形態。
【図１３】胴部３の内面にガイド部１４を設けたもの。
【図１４】上記園芸ポットを縦横に並べて切離可能に一体に形成した連結園芸ポット。
【図１５】底部２に凹部Ｄを形成せず、周縁部から水抜孔７まで保持孔５ａ，５ｂを設けた実施形態。
【図１６】胴部３の外面から突出する目印１３ａを設けた形態。
【図１７】上側胴部３ｂの横断面形状を四角形とし、下側胴部３ａの横断面形状を円形とした形態。
【図１８】図９Ｂの園芸ポットの断面図
【図１９】胴部３と底部２のなす角度θを鋭角とした実施形態。
【符号の説明】
【００５２】
１  園芸ポット
２  底部
３  胴部
４  底上げ部
５  保持孔
５ａ  外側保持孔
５ｂ  内側保持孔
６  表示具
８  脚部
９  切欠孔
１０  鍔部
１１  内側凹部
１２  肩部
１５  連結園芸ポット
Ｐ  苗（植物）
Ｓ  培土
Ｄ  凹部
【図１】
2006246707.tif 000003
【図２】
2006246707.tif 000004
【図３】
2006246707.tif 000005
【図４】
2006246707.tif 000006
【図５】
2006246707.tif 000007
【図６】
2006246707.tif 000008
【図７】
2006246707.tif 000009
【図８】
2006246707.tif 000010
【図９】
2006246707.tif 000011
【図１０】
2006246707.tif 000012
【図１１】
2006246707.tif 000013
【図１２】
2006246707.tif 000014
【図１３】
2006246707.tif 000015
【図１４】
2006246707.tif 000016
【図１５】
2006246707.tif 000017
【図１６】
2006246707.tif 000018
【図１７】
2006246707.tif 000019
【図１８】
2006246707.tif 000020
【図１９】
2006246707.tif 000021